(57)【要約】【課題】  房バナナをはじめこれに類する不定形果実類を、その形態を損うことなく通気性を保って包装することができ、包装後擦れ合っても果実類に傷を付けることがなく、かつ製袋が容易で安価に供し得る不定形果実類包装袋を提供することを課題とする。【解決手段】  袋の周方向において１／２以上の範囲を透明樹脂フィルム２で構成するとともに残る範囲を不織布３で構成し、この不織布部分を長手方向にそって内方へ折り込んでガゼット部４を形成し、前記樹脂フィルム２と不織布３のガゼット部４の下端とを共にシールして袋の底部１ｂを構成したことにある。【選択図】  図１
2007022586.tif 000002
【特許請求の範囲】
【請求項１】
一端が開口された袋であって、袋の周方向において１／２以上の範囲を透明性樹脂フィルムで構成するとともに残る範囲を不織布で構成し、この不織布部分を長手方向にそって内方へ折り込んでガゼット部を形成し、前記樹脂フィルムと不織布のガゼット部の下端とを共にシールして袋の底部を構成したことを特徴とする不定形果実類包装袋。
【請求項２】
前記樹脂フィルムの周方向に占める範囲が２／３、不織布の周方向に占める範囲が１／３の割合とされている請求項１記載の不定形果実類包装袋。
【請求項３】
前記透明性樹脂フィルムがＯＰＰまたはＰＥＴフィルムである請求項１または２記載の不定形果実類包装袋。
【請求項４】
不定形果実が房バナナであり、房バナナの先端を透明性樹脂フィルムの底部側とし、房バナナの反りの背側を不織布側として挿入したとき不織布のガゼット部が外方へ膨出するとともにガゼット部の底部外端が引き上げられて不織布が房バナナの形態になじむようにフィットして収納されるようになされている請求項１〜３のいずれか１項記載の不定形果実類包装袋。
【発明の詳細な説明】
【技術分野】
【０００１】
本発明は不定形果実類の包装袋に係り、特に房バナナの販売用包装袋として最適な不定形果実類包装袋に関する。
【背景技術】
【０００２】
房バナナを店頭に陳列して販売に供する包装材として、図６にその一例を示すように、ヒートシール可能なＯＰＰフィルムにより房バナナの形態に即した異形外形状の袋ａが用いられている。
【０００３】
バナナの店頭小分け販売では、バナナの表皮が完全に黄熟した状態で包装されるが、エチレンガスによってさらに過熟が進むと肉質が軟化して商品価値が下落することから、発生したエチレンガスを逃がすために袋ａに多数の孔ｂ，ｂ…が穿設されている。
【０００４】
しかるにこのような孔あきの袋ａでは、この孔ｂから虫類が侵入するおそれがあって好ましくない。
【０００５】
また従来の樹脂フィルム製の袋では、緩衝機能が全く期待できないため、包装後の取り扱い時や陳列時に互いに擦れ合ってバナナを傷めやすいという問題があった。
【０００６】
上記問題点に着目してこれを改善する技術を示す文献は見当らない。
【発明の開示】
【発明が解決しようとする課題】
【０００７】
本発明は、小分けされた房バナナをはじめ、これに類する不定形の果実、例えば房ぶどう、房プチトマト等をその形態を損うことなくなじませて包装することができ、包装後の通気性を確保しながら虫類の侵入がなく、包装後互いに擦れ合っても果実類を損傷させず、高級感をかもし出して陳列効果を高めることができ、特に上記機能を有しながら製造を容易とし、低コストで安価に得られる不定形果実類包装袋を提供することを課題とする。
【課題を解決するための手段】
【０００８】
上記課題を解決する手段として本発明は、一端が開口された袋であって、袋の周方向において１／２以上の範囲を透明性樹脂フィルムで構成するとともに残る範囲を不織布で構成し、この不織布部分を長手方向にそって内方へ折り込んでガゼット部を形成し、前記樹脂フィルムと不織布のガゼット部の下端とを共にシールして袋の底部を構成するようにしたことにある。
【０００９】
上記樹脂フィルムの周方向に占める範囲を２／３、不織布の周方向に占める範囲を１／３の割合とすることが最良の形態である。しかしこの数値は多少の加減があっても支障はない。なお、ここで範囲を示す２／３、１／３という値の意味は、各々、２／３、１／３を中心値とするということを示すものであって、製造誤差等の理由でこれらの中心値からずれていてもよく、例えば２／３、１／３に対し１／１０程度の大小差があってもよい。
【００１０】
また前記透明性樹脂フィルムはＯＰＰまたはＰＥＴフィルムを用いることが好ましい。
【００１１】
さらに包装対象果実を房バナナとし、この房バナナの先端を透明性樹脂フィルムの底部側とし、房バナナの反りの背側を不織布側として挿入したとき不織布のガゼット部が外方へ膨出するとともにガゼット部の底部外端が引き上げられて不織布が房バナナの形態になじむようにフィットして収納されるようにしたことにある。
【発明の効果】
【００１２】
本発明によれば、袋の周方向において１／２以上の範囲を透明性樹脂フィルムで構成するとともに残る範囲を不織布で構成し、この不織布部分を長手方向にそって内方へ折り込んでガゼット部とし、前記樹脂フィルムと不織布のガゼット部の下端とを共にシールして袋の底部としたので、不定形果実類が房状のバナナであってもその先端を透明性樹脂フィルムの底部側として挿入すれば、房バナナの反りの背側が不織布のガゼット部を外方へ膨出させて不定形の房バナナを支障なく受け入れることができると共にこのガゼット部の膨出により不織布の底部外端側が上方へ引き上げられることにより不織布が房バナナの形態になじむようにフィットし、不織布による通気性を確保しながら安定した状態に収納することができる。
【００１３】
また透明性樹脂フィルムの領域を不織布の領域より大きくしたことにより、房バナナの場合、最も傷付きやすい反りの背側が不織布で保護されるので房バナナの擦れによる損傷が防がれ、反りの反対側はその全域が透明性樹脂フィルムを通じて透視することができるので商品を確認して購入することができる。
【００１４】
一方、上記のように透明性樹脂フィルムの周方向の幅に対し不織布の幅が小さくされているので、製袋時に不織布に折れやしわが入ることを少なくでき、生産性を高めるうえで多大な効果を挙げることができる。
【００１５】
上記において、透明性樹脂フィルムの周方向に占める範囲を２／３、不織布の占める範囲を１／３の割合とすることにより包装袋同士の擦れによる商品防護機能、商品の透視機能を満足しつつ生産性を高め、形態の整った包装袋とすることができる。
【００１６】
前記透明性樹脂フィルムにＯＰＰまたはＰＥＴフィルムを用いれば、フィルム自体剛性が高いのでライン生産がしやすく、一層生産性を高めることができる。
【発明を実施するための最良の形態】
【００１７】
図１は本発明による不定形果実類包装袋１の一実施形態の斜視図を示し、図２は図１のＡ−Ａ矢視略示断面図を示している。
【００１８】
上記包装袋１は、一端が開放されて開口部１ａとされ、その周方向において２／３の範囲が開口部１ａから底部１ｂに至る透明性樹脂フィルム２で構成され、残る１／３の範囲が不織布３で構成されている。
【００１９】
上記不織布３は、包装袋１の一側において透明性樹脂フィルム２を含んで長手方向にそって内方へ折り込まれ、ガゼット部４とされている。そして前記樹脂フィルム２からガゼット部４の重ねられた不織布３の下端にかけて共にヒートシール５により接着され、これにより底部１ｂが構成されている。
【００２０】
前記透明性樹脂フィルム２は、剛性が大で生産ラインに乗せやすく、かつヒートシール性を考慮してＯＰＰフィルムが用いられている。しかしこの樹脂フィルム２はＯＰＰフィルムに限らず、ＰＥＴその他の樹脂フィルムであってもよい。その透明度は、好ましくは無色透明フィルムとするのがよいが、薄色の着色フィルムであってもよい。
【００２１】
上記包装袋１の製造に関しては、図５（Ａ）、（Ｂ）に一例を略示するように、所定幅Ｂの不織布３の両側縁に該不織布３の幅Ｂの約２倍の幅を有する樹脂フィルム２の両側縁２ａ，２ａを重ねてヒートシール６，６により固着し、次いで不織布３をその長手方向中央で内方へ折り込んでガゼット部４が形成される。このとき不織布３の両側縁にヒートシール６，６により固着された樹脂フィルム２の一部を伴って折り込まれ、これにより不織布３は図５（Ｂ）にみられるように樹脂フィルム２間に挟在される形態となる。
【００２２】
その後樹脂フィルム２および不織布３の下端位置をヒートシール５により固着して底部１ｂを形成し、包装袋１とされる。
【００２３】
上記構成を採用すれば、既設の製袋機を用いて製袋することができ、特別な専用機械を要することなく包装袋１を安価に提供することができる。
【００２４】
図３、図４は、前記の包装袋１に不定形果実類として房バナナ７を包装する場合を例示するもので、図３に説明図として示すように、房バナナ７の先端７ａを透明性樹脂フィルム２部分の底部１ｂ側とし、房バナナ７の反りの背側７ｂを不織布３側として包装袋１内に挿入する。
【００２５】
すると図４に示すように房バナナ７の背側７ｂの膨らみにより不織布３のガゼット部４が内側から押し広げられて房バナナ７の背側７ｂの膨らみに倣って拡張し、この拡張時に不織布３側の底部１ｂの外端が上方へ引張られるので房バナナ７の背側７ｂの膨らみの範囲が不織布３に無理なくフィットしてなじみ、次いで開口部１ａを止具８で閉じることにより包装を完了する。
【００２６】
このように包装されることにより、房バナナ７の背側７ｂとは反対側の略全域は透明性樹脂フィルム２内に位置して外部から房バナナ７の色つや等の状態が購買者からよく見え、品定めに支障のない形態として店頭に陳列することができ、併せて陳列時に高級感をかもし出すことができる。
【００２７】
上記のように店頭に陳列した際に包装されたもの同士が接触した場合、最も接触しやすい房バナナ７の背側７ｂの部分が不織布３によりカバーされているので、この背側７ｂが擦れて傷むことが防がれる。
【００２８】
また陳列中にエチレンガスが発生しても、通気性のある不織布３を通じて外部に放出され、房バナナ７の品質を劣化させることがない。
【００２９】
以上、不定形果実類として房バナナ７の場合について示したが、房状の不定形果実類、例えば房ぶどう、房状のプチトマト等であっても同様に包装して販売に供することができる。
【図面の簡単な説明】
【００３０】
【図１】本発明による不定形果実類包装袋の一実施形態を示す斜視図。
【図２】図１のＡ−Ａ矢視略示断面図。
【図３】図１の包装袋に房バナナを挿入する方向を示す説明図。
【図４】同、房バナナを包装した状態を示す斜視図。
【図５】（Ａ）、（Ｂ）は図１の包装袋の製袋工程例を示す説明図。
【図６】従来の房バナナ包装袋を示す正面図。
【符号の説明】
【００３１】
１  包装袋
１ａ  開口部
１ｂ  底部
２  透明性樹脂フィルム
３  不織布
４  ガゼット部
５、６  ヒートシール
７  房バナナ
【図１】
2007022586.tif 000003
【図２】
2007022586.tif 000004
【図３】
2007022586.tif 000005
【図４】
2007022586.tif 000006
【図５】
2007022586.tif 000007
【図６】
2007022586.tif 000008